(57)【要約】【課題】予約運転時に洗剤を投入する洗剤投入用カバーを開閉自在に設けた洗濯機において、予約運転時には少ない水量ですすぎ性能を確保しつつ、洗剤投入用カバーに洗剤が残らないようにする。【解決手段】中央底部にパルセータ２を回転自在に配設した洗濯兼脱水槽１と循環水路カバー１４で循環水路１５を形成し、循環水路カバー１４の途中に予約運転時に洗剤を投入する洗剤投入用カバー１６を開閉自在に設け、パルセータ２の下側羽根１７の外周に形成したポンプ室１８から循環水路１５を上昇した洗濯液を吐出口１９より洗濯兼脱水槽１の内方に吐出させる。予約運転時には、すすぎ行程にて、ためすすぎを少なくとも２回実行する。【選択図】  図１
2004187763.tif 000002
【特許請求の範囲】
【請求項１】
中央底部にパルセータを回転自在に配設した洗濯兼脱水槽と、前記洗濯兼脱水槽と循環水路カバーで形成した循環水路と、前記パルセータの下側羽根の外周に形成したポンプ室と、予約運転時に洗剤を投入するために前記循環水路カバーの途中に開閉自在に設けた洗剤投入用カバーと、前記ポンプ室から前記循環水路を上昇した洗濯液を前記洗濯兼脱水槽の内方に吐出させる吐出口とを備え、予約運転時には、すすぎ行程にて、ためすすぎを少なくとも２回実行するようにした洗濯機。
【請求項２】
中央底部にパルセータを回転自在に配設した洗濯兼脱水槽と、前記洗濯兼脱水槽と循環水路カバーで形成した循環水路と、前記パルセータの下側羽根の外周に形成したポンプ室と、予約運転時に洗剤を投入するために前記循環水路カバーの途中に開閉自在に設けた洗剤投入用カバーと、前記ポンプ室から前記循環水路を上昇した洗濯液を前記洗濯兼脱水槽の内方に吐出させる吐出口とを備え、予約運転時には、すすぎ行程にて、ためすすぎを洗い行程の水位よりも高い水位で少なくとも１回実行するようにした洗濯機。
【請求項３】
複数回実行されるすすぎ行程を有し、最初のすすぎ行程を、洗い行程の水位よりも高い水位で実行するようにした請求項１または２記載の洗濯機。
【請求項４】
すすぎ行程の水位は、洗い行程にて設定し得る複数の水位の内、洗い行程にて設定した水位より少なくとも１段階高い水位で実行するようにした請求項１または２記載の洗濯機。
【請求項５】
洗い行程にて設定し得る複数の水位の内、少なくとも最高水位に設定したとき、洗い行程の水位と同じ水位ですすぎ行程を実行するようにした請求項１または２記載の洗濯機。
【発明の詳細な説明】
【０００１】
【発明の属する技術分野】
本発明は、予約運転時に洗剤を投入する洗剤投入用カバーを開閉自在に設けた洗濯機に関するものである。
【０００２】
【従来の技術】
従来、この種の洗濯機は図３に示すような構成が一般的であった。以下、その構成について説明する。
【０００３】
図３に示すように、洗濯兼脱水槽１は、底面にパルセータ２を回転自在に配設し、水受け槽３は、洗濯兼脱水槽１の外側に設けており、モータ４は、Ｖベルト５および減速機構兼クラッチ６を介して、洗濯兼脱水槽１またはパルセータ２を駆動する。排水弁７は洗濯兼脱水槽１内の洗濯水を排水し、給水弁８は給水口９から洗濯兼脱水槽１内に給水するものである。また、水受け槽３は筐体１０にサスペンション１１によって防振支持されている。環状の流体バランサー１２は洗濯兼脱水槽１の上部に設け、脱水時の振動を低減するものである。
【０００４】
制御装置１３は、モータ４、排水弁７、給水弁８などを制御して、洗い、すすぎ、脱水の一連の行程を逐次制御するものである。
【０００５】
洗濯兼脱水槽１の内面部に、循環水路カバー１４と洗濯兼脱水槽１とで循環水路１５を形成している。循環水路カバー１４の途中に洗剤投入用カバー１６を開閉自在に設けている。
【０００６】
パルセータ２の回転により、パルセータ２の下側羽根１７の外周に形成したポンプ室１８から循環水路１５を通り、上昇してくる洗濯液を洗濯兼脱水槽１内に吐出する吐出口１９の下端部は、洗剤投入用カバー１６の上端部を用いて構成している（例えば、特許文献１参照）。
【０００７】
上記構成において動作を説明すると、予約洗濯時において、洗濯兼脱水槽１に洗濯物を投入した後、洗剤投入用カバー１６を開き、洗剤を洗剤投入用カバー１６上に置いた後、洗剤投入用カバー１６を閉めると、洗剤は循環水路１５を通りポンプ室１８に落ちるため、洗剤は直接洗濯物にかからない。
【０００８】
その後、予約洗濯を開始すると、制御装置１３により給水弁８を制御して洗濯兼脱水槽１内に所定の水を給水し、その後、制御装置１３により制御されたモータ４の回転に応じて、パルセータ２および下側羽根１７が回転する。このとき、洗濯兼脱水槽１の中の洗濯物が撹拌され洗浄されるとともに、ポンプ室１８の洗剤は下側羽根１７の回転の機械力により溶かされる。
【０００９】
また、ポンプ室１８の洗濯液は下側羽根１７の回転の機械力により外側に押し出され、ポンプ室１８から循環水路１５を通り、吐出口１６より洗濯兼脱水槽１内にモータ４の回転に応じて間欠的に注がれ、洗濯液を洗濯物全体に注ぐことによって、洗濯物が洗浄される。
【００１０】
【特許文献１】
特開昭６３−１１７７９８号公報
【００１１】
【発明が解決しようとする課題】
このような従来の構成では、洗剤を洗剤投入用カバー１６上に置いた後、洗剤投入用カバー１６を閉めて、洗剤をポンプ室１８に落とした後も洗剤投入用カバー１６に洗剤が残っている場合がある。このような場合、予約洗濯のため、洗濯が開始されるのは数時間後であるため、洗剤がこびりつき、また、低い水位で洗濯された場合などは、ポンプ室１８から循環水路１５を上がってくる洗濯液が洗剤投入用カバー１６に十分に達しないため、洗剤を洗い流せず洗剤が残る恐れがあるという問題を有していた。
【００１２】
本発明は上記従来の課題を解決するもので、予約運転時には少ない水量ですすぎ性能を確保しつつ、洗剤投入用カバーに洗剤が残らないようにすることを目的としている。
【００１３】
【課題を解決するための手段】
本発明は上記目的を達成するために、中央底部にパルセータを回転自在に配設した洗濯兼脱水槽と循環水路カバーで循環水路を形成し、循環水路カバーの途中に予約運転時に洗剤を投入するための開閉自在の洗剤投入用カバーを設け、パルセータの下側羽根の外周に形成したポンプ室から循環水路を上昇した洗濯液を吐出口より洗濯兼脱水槽の内方に吐出させるよう構成し、予約運転時には、すすぎ行程にて、ためすすぎを少なくとも２回実行するようにしたものである。
【００１４】
これにより、予約運転時には少ない水量ですすぎ性能を確保しつつ、洗剤投入用カバーに洗剤が残らないようにすることができる。
【００１５】
【発明の実施の形態】
本発明の請求項１に記載の発明は、中央底部にパルセータを回転自在に配設した洗濯兼脱水槽と、前記洗濯兼脱水槽と循環水路カバーで形成した循環水路と、前記パルセータの下側羽根の外周に形成したポンプ室と、予約運転時に洗剤を投入するために前記循環水路カバーの途中に開閉自在に設けた洗剤投入用カバーと、前記ポンプ室から前記循環水路を上昇した洗濯液を前記洗濯兼脱水槽の内方に吐出させる吐出口とを備え、予約運転時には、すすぎ行程にて、ためすすぎを少なくとも２回実行するようにしたものであり、予約運転時には、より少ない水量ですすぎ性能を確保しつつ、洗剤投入用カバー部に循環水が到達する回数が多くなるため、洗剤投入用カバーに残った洗剤を洗い流すことができ、洗剤投入用カバーに洗剤が残らないようにすることができる。
【００１６】
請求項２に記載の発明は、中央底部にパルセータを回転自在に配設した洗濯兼脱水槽と、前記洗濯兼脱水槽と循環水路カバーで形成した循環水路と、前記パルセータの下側羽根の外周に形成したポンプ室と、予約運転時に洗剤を投入するために前記循環水路カバーの途中に開閉自在に設けた洗剤投入用カバーと、前記ポンプ室から前記循環水路を上昇した洗濯液を前記洗濯兼脱水槽の内方に吐出させる吐出口とを備え、予約運転時には、すすぎ行程にて、ためすすぎを洗い行程の水位よりも高い水位で少なくとも１回実行するようにしたものであり、すすぎ行程のみ洗剤投入用カバー部に循環水が到達するよう水位を高くしているため、より少ない水量で洗濯しつつ、洗剤投入用カバーに洗剤が残らないようにすることができる。
【００１７】
請求項３に記載の発明は、上記請求項１または２に記載の発明において、複数回実行されるすすぎ行程を有し、最初のすすぎ行程を、洗い行程の水位よりも高い水位で実行するようにしたものであり、最初のすすぎで洗剤投入用カバーに残った洗剤を洗い流すことができるため、２回目以降のすすぎでは洗剤が流出してこないため、より少ない水量で、すすぎ性能を確保し、洗剤投入用カバーに洗剤が残らないようにすることができる。
【００１８】
請求項４に記載の発明は、上記請求項１または２に記載の発明において、すすぎ行程の水位は、洗い行程にて設定し得る複数の水位の内、洗い行程にて設定した水位より少なくとも１段階高い水位で実行するようにしたものであり、洗い行程の水位より１段階しか水位をあげないため、より少ない水量で、洗剤投入用カバーに洗剤が残らないようにすることができる。
【００１９】
請求項５に記載の発明は、上記請求項１または２に記載の発明において、洗い行程にて設定し得る複数の水位の内、少なくとも最高水位に設定したとき、洗い行程の水位と同じ水位ですすぎ行程を実行するようにしたものであり、洗い行程にて最高水位など、洗い行程中に洗剤を洗い流せる水位に設定した場合には、すすぎ行程での水位を上げないため、より少ない水量で洗濯しつつ、洗剤投入用カバーに洗剤が残らないようにすることができる。
【００２０】
【実施例】
以下、本発明の実施例について、図面を参照しながら説明する。なお、従来例と同じ構成のものは、同一符号を付して説明を省略する。
【００２１】
（実施例１）
図１および図２に示すように、制御装置２０は、マイクロコンピューターで構成した制御手段２１を有し、パワースイッチング手段２２を介して、モータ４、排水弁７、給水弁８などの動作を制御し、洗い、すすぎ、脱水などの一連の行程を逐次制御する。予約設定手段２３は、洗濯コースの予約運転を設定するもので、水位設定手段２４は、設定し得る複数の洗いが実行される水位の中から洗いを実行する水位を設定するものである。なお、２５は商用電源、２６は電源スイッチである。
【００２２】
制御手段２１は、予約運転ではない場合、洗い行程を実行した後に、洗濯兼脱水槽１を脱水力が作用しない程度に位置を変える回転と停止とを繰り返し、または低速で回転数制御をしながら洗濯物上に給水口９から連続または断続して給水する、給水すすぎを実行し、その後、洗い行程と同様に水道水を洗濯兼脱水槽１へ溜め、パルセータ２により撹拌する、ためすすぎを実行するようにしている。
【００２３】
なお、ためすすぎ時に、水道水を注水してオーバーフロー、またはアンダーフローしながらすすぐ場合もある。ここで、給水すすぎはためすすぎと比較して、節水および時間短縮の点で優位性がある。
【００２４】
また、制御手段２１は、予約設定手段２３により予約運転を設定された場合、給水すすぎを行わず、ためすすぎを少なくとも２回実行するようにしている。ここで、ためすすぎを実行する水位は、洗い行程の水位と同じ水位としている。他の構成は従来例と同じである。
【００２５】
上記構成において動作を説明する。洗濯兼脱水槽１に洗濯物を投入した後、予約設定手段２３により、洗濯コースの予約運転を設定し、水位設定手段２４により設定し得る複数の水位（例えば、高、中、低）の中から洗い行程を実行する水位（例えば、低）を設定し、洗剤投入用カバー１６を開き、洗剤を洗剤投入用カバー１６上に置いた後、洗剤投入用カバー１６を閉めると、洗剤は循環水路１５を通りポンプ室１８に落ちるため、洗剤は直接洗濯物にかからない。
【００２６】
その後、予約洗濯を開始すると、制御手段２１により給水弁８を制御して洗濯兼脱水槽１内に水位設定手段２４により設定された水位（例えば、低）まで給水し、その後、洗い行程に入り、制御手段２１により制御されたモータ４の回転に応じて、パルセータ２および下側羽根１７が回転する。このとき、洗濯兼脱水槽１の中の洗濯物が撹拌されて洗浄されるとともに、ポンプ室１８の洗剤は、下側羽根１７の回転の機械力により、溶かされる。
【００２７】
また、ポンプ室１８の洗濯液は下側羽根１７の回転の機械力により外側に押し出され、ポンプ室１８から循環水路１５を上がってくるが、水位が低いため洗剤投入用カバー１６に十分には達しないため、洗剤投入用カバー１６に洗剤が残っていた場合、洗剤を完全に洗い流すことができず、洗剤投入用カバー１６に残った状態となる。
【００２８】
洗い行程が終わると、排水弁１４を開いて洗濯液を排水する。つぎに、洗濯兼脱水槽１を高速回転し、洗濯物に含まれる洗濯液を遠心脱水した後、排水弁７を閉じる。
【００２９】
つぎに、すすぎ行程に入り、給水弁８を制御して洗濯兼脱水槽１内に、洗い行程にて水位設定手段２４により設定された水位（例えば、低）まで給水し、その後、制御手段２１により制御されたモータ４の回転に応じて、パルセータ２および下側羽根１７が回転する。このとき、洗濯兼脱水槽１の中の洗濯物が撹拌され、すすがれる。
【００３０】
また、ポンプ室１８のすすぎ水は下側羽根１７の回転の機械力により外側に押し出され、ポンプ室１８から循環水路１５を上がってくるが、水位が低いため洗剤投入用カバー１６に十分に達しない。しかし、ポンプ室１８から循環水路１５を上がってくるすすぎ水により、徐々にではあるが洗剤投入用カバー１６についた洗剤を洗い流すことができる。
【００３１】
１回目のためすすぎが終わると、排水弁１４を開いて洗濯液を排水する。つぎに、洗濯兼脱水槽１を高速回転し、洗濯物に含まれる洗濯液を遠心脱水した後、排水弁７を閉じる。
【００３２】
その後、給水弁８を制御して、１回目のためすすぎと同様に、洗い行程の水位と同じ水位（例えば、低）まで給水し、その後、制御手段２１により制御されたモータ４の回転に応じて、パルセータ２および下側羽根１７が回転する。このとき、洗濯兼脱水槽１の中の洗濯物が撹拌され、すすがれる。
【００３３】
このとき、下側羽根１７の回転の機械力によりポンプ室１８から循環水路１５を上がり、洗剤投入用カバー１６に循環水が到達する回数が多くなるため、洗剤投入用カバー１６についた洗剤を洗い流すことができる。
【００３４】
このように本実施例によれば、予約運転ではない場合、洗い行程を実行した後に給水すすぎを実行し、その後、ためすすぎを実行することにより、節水、時間短縮を実現することができ、予約運転時には、すすぎ行程にて、ためすすぎを少なくとも２回実行するようにしたので、予約運転時はより少ない水量ですすぎ性能を確保しつつ、洗剤投入用カバー１６に循環水が到達する回数が多くなるため、洗剤投入用カバー１６についた洗剤を洗い流すことができ、洗剤投入用カバー１６に洗剤が残らないようにすることができる。
【００３５】
なお、本実施例では、ためすすぎを実行する水位は、洗い行程の水位と同じ水位としているが、少なくとも１回のためすすぎの水位を、洗い行程の水位より高くすることで、ポンプ室１８から循環水路１５を上がってくるすすぎ水は洗剤投入用カバー１６に十分に達し、洗剤投入用カバー１６についた洗剤を洗い流すことができる。
【００３６】
（実施例２）
図２に示す制御手段２１は、予約設定手段２３により予約運転を設定された場合、すすぎ行程にて、給水すすぎを行わず、ためすすぎを実行するようにしている。また、このときの水位は、最初のすすぎの水位を洗い行程の水位より１段階上の水位とし、２回目のすすぎの水位は、洗い行程の水位と同じ水位としている。他の構成は上記実施例１と同じである。
【００３７】
上記構成において動作を説明すると、洗濯兼脱水槽１に洗濯物を投入した後、予約設定手段２３により、洗濯コースの予約運転を設定し、水位設定手段２４により、設定し得る複数の水位（例えば、高、中、低）の中から洗い行程の水位（例えば、低）を設定し、洗剤投入用カバー１６を開き、洗剤を洗剤投入用カバー１６上に置いた後、洗剤投入用カバー１６を閉めると、洗剤は循環水路１５を通りポンプ室１８に落ちるため、洗剤は直接洗濯物にかからない。
【００３８】
その後、予約洗濯を開始すると、制御手段２１により給水弁８を制御して洗濯兼脱水槽１内に水位設定手段２４により設定された洗い行程のる水位（例えば、低）まで給水し、その後、洗い行程に入り、制御手段２１により制御されたモータ４の回転に応じて、パルセータ２および下側羽根１７が回転する。このとき、洗濯兼脱水槽１の中の洗濯物が撹拌されて洗浄されるとともに、ポンプ室１８の洗剤は、下側羽根１７の回転の機械力により、溶かされる。
【００３９】
また、ポンプ室１８の洗濯液は下側羽根１７の回転の機械力により外側に押し出され、ポンプ室１８から循環水路１５を上がってくるが、水位が低いため洗剤投入用カバー１６に十分には達しないため、洗剤投入用カバー１６に洗剤が残っていた場合、洗剤を完全に洗い流すことはできず、洗剤投入用カバー１６に残った状態となる。
【００４０】
洗い行程が終わると、排水弁１４を開いて洗濯液を排水する。つぎに、洗濯兼脱水槽１を高速回転し、洗濯物に含まれる洗濯液を遠心脱水した後、排水弁７を閉じる。
【００４１】
つぎに、すすぎ行程に入り、給水弁８を制御して洗濯兼脱水槽１内に水位設定手段２４により設定された洗い行程の水位より１段階高い水位（例えば、中）まで給水し、その後、制御手段２１により制御されたモータ４の回転に応じて、パルセータ２および下側羽根１７が回転する。このとき、洗濯兼脱水槽１の中の洗濯物が撹拌され、すすがれる。
【００４２】
また、ポンプ室１８のすすぎ水は下側羽根１７の回転の機械力により外側に押し出され、ポンプ室１８から循環水路１５を上がってくるが、水位が洗い行程の水位より１段階高い水位であるため、洗剤投入用カバー１６に十分に達し、洗剤投入用カバー１６についた洗剤を洗い流すことができる。
【００４３】
１回目のためすすぎが終わると、排水弁１４を開いて洗濯液を排水する。つぎに、洗濯兼脱水槽１を高速回転し、洗濯物に含まれる洗濯液を遠心脱水した後、排水弁７を閉じる。
【００４４】
その後、給水弁８を制御して洗濯兼脱水槽１内に水位設定手段２４により設定された洗い行程の水位と同じ水位（例えば、低）まで給水し、その後、制御手段２１により制御されたモータ４の回転に応じて、パルセータ２および下側羽根１７が回転する。このとき、洗濯兼脱水槽１の中の洗濯物が撹拌され、すすがれる。
【００４５】
また、ポンプ室１８のすすぎ水は下側羽根１７の回転の機械力により外側に押し出され、ポンプ室１８から循環水路１５を上がってくるが、水位が低いため洗剤投入用カバー１６に十分には達しない。このとき、洗剤投入用カバー１６は１回目のためすすぎで洗剤分は洗い流されているため、問題はない。もし、仮に残っていたとしても、すすぎ水は洗剤投入用カバー１６に十分には達しないため、洗剤が流出して洗濯物のすすぎ性能を損なうようなこともなく、より少ない水量で洗濯しつつ、すすぎ性能を確保し、洗剤投入用カバー１６に洗剤が残らないようにすることができる。
【００４６】
このように本実施例によれば、予約運転時には、すすぎ行程にて、ためすすぎを洗い行程の水位よりも高い水位で実行するようにしたので、すすぎ行程のみ洗剤投入用カバー１６に循環水が十分到達するため、より少ない水量で洗濯しつつ、洗剤投入用カバー１６についた洗剤を洗い流すことができて、洗剤投入用カバー１６に洗剤が残らないようにすることができる。
【００４７】
また、複数回実行されるすすぎ行程を有し、最初のすすぎ行程を、洗い行程の水位よりも高い水位で実行するようにしたので、最初のすすぎ行程で洗剤投入用カバー１６に残った洗剤を洗い流すことができるため、２回目以降のすすぎでは洗剤が流出してこないため、より少ない水量で、すすぎ性能を確保し、洗剤投入用カバー１６に洗剤が残らないようにすることができる。
【００４８】
また、すすぎ行程の水位は、洗い行程にて設定し得る複数の水位の内、洗い行程にて設定した水位より少なくとも１段階高い水位で実行するようにしたので、洗い行程の水位より１段階しか水位をあげないため、必要最低限量しか使用水量は増加させず、洗剤投入用カバー１６についた洗剤を洗い流すことができる。
【００４９】
なお、本実施例では、すすぎ行程にて、ためすすぎを２回実行し、最初のすすぎの水位を洗い行程の水位より１段階上の水位とし、２回目のすすぎの水位を洗い行程の水位と同じ水位としているが、洗い行程の水位より１段階上の水位にてためすすぎを実行することで、洗剤投入用カバー１６に残った洗剤を洗い流すことができるため、洗い行程の水位より高い水位にてためすすぎを１回だけ実行するようにしてもよい。
【００５０】
また、水位設定手段２４により、洗い行程にて設定し得る複数の水位の内、たとえば、最高水位など、洗い行程中に洗剤投入用カバー１６に残った洗剤を洗い流せる水位に設定した場合には、すすぎ行程では水位を上げる必要がないため、洗い行程の水位と同じ水位ですすぎ行程を実行することで、より少ない水量で洗濯しつつ、洗剤投入用カバー１６に洗剤が残らないようにすることができる。
【００５１】
【発明の効果】
以上のように、本発明の請求項１に記載の発明によれば、予約運転時に洗剤を投入するために循環水路カバーの途中に洗剤投入用カバーを開閉自在に設け、予約運転時には、すすぎ行程にて、ためすすぎを少なくとも２回実行するようにしたから、予約運転時には、より少ない水量ですすぎ性能を確保しつつ、洗剤投入用カバー部に循環水が到達する回数が多くなるため、洗剤投入用カバーに残った洗剤を洗い流すことができ、洗剤投入用カバーに洗剤が残らないようにすることができる。
【図面の簡単な説明】
【図１】本発明の第１の実施例の洗濯機の縦断面図
【図２】同洗濯機のブロック回路図
【図３】従来の洗濯機の縦断面図
【符号の説明】
１  洗濯兼脱水槽
２  パルセータ
１４  循環水路カバー
１５  循環水路
１６  洗剤投入用カバー
１７  下側羽根
１８  ポンプ室
１９  吐出口
【図１】
2004187763.tif 000003
【図２】
2004187763.tif 000004
【図３】
2004187763.tif 000005